(57)【特許請求の範囲】
【請求項１】
プレート体と、前記プレート体の一方面に基部が回転可能に軸支されて取り付けられる支持棒とを備える取り付け補助具が用いられ、
前記プレート体の他方面が型枠の外面側に沿うように配置され、前記支持棒が適宜回転され略水平位置において前記型枠を固定する固定体を側面形態が略垂直となるように支持することを特徴とする型枠固定体の支持構造。
【発明の詳細な説明】
【０００１】
【発明の属する技術分野】
この発明は、型枠固定体の支持構造に関する。
【０００２】
【従来の技術】
図９は従来における型枠組立の側面構成を示し、図１０は図９において矢印Ａ方向から見た図である。一対の型枠５０、５０間にコンクリートが流し込まれそれが固化されることで柱や壁の建造物が得られる。上記の型枠５０、５０間にコンクリートが流し込まれる際にはそのコンクリート圧により型枠５０、５０それぞれが離反して開くことがないように型枠５０、５０は次のように強固に連結固定されている。すなわち型枠５０、５０の外面に面状（図示するもの）もしくは縦方向の第１固定体５１、５１が取り付けられ、その外面に横方向の桟状の第２固定体５２、５２が取り付けられ、この第２固定体５２、５２部分が型枠５０、５０間を連通する連結棒材５４で連結され互いに引き寄せられることで、型枠５０、５０の開きを防止している。そして、上記横方向の第２固定体５２、５２の第１固定体５１、５１面への取り付けはその取り付けが容易に安定して行なわれるようにプレート状の取り付け補助具５５ａ、５５ｂを介して行なっている。すなわち、第１固定体５１面に取り付けた複数の取り付け補助具５５ａ、５５ｂに固定ネジ５６により水平方向に第２固定体５２を取り付け、その一対の第２固定体５２間に連結棒材５４を架け渡し固定している。
【０００３】
【発明が解決しようとする課題】
上記取り付け補助具５５ａ、５５ｂは仮に建造物面が垂直である場合は取り付け補助具５５ａのような単なるプレート状のものを用いればよいが、傾斜面である場合には第２固定体５２を垂直（図８に示す側面形態において）に位置させるべく脚部５７を持つ取り付け補助具５５ｂを用いる必要がある。連結棒材５４は型枠５０、５０の開きを押さえるには水平に配置される必要があるために第２固定体５２は垂直に配置される必要がある。したがって、従来では建造物面の傾斜角度に対応する取り付け補助具、すなわちその脚部５７の寸法が異なるものを種々用意しなければならない問題点があった。とくに建造物においてはその傾斜面が湾曲しながら徐々に変化していくような形態のものもあり、そのような場合従来の構成のものでは小さな角度変化に対応できないので傾斜角度に正確に適合する取り付け補助具の提供が困難であった。
【０００４】
この発明は上記の問題点を解消するように行なったもので、傾斜配置される型枠の固定が容易に行なわれるようにすることを目的とする。
【０００５】
【課題を解決するための手段】
この発明は、プレート体と、前記プレート体の一方面に基部が回転可能に軸支されて取り付けられる支持棒とを備える取り付け補助具が用いられ、前記プレート体の他方面が型枠の外面側に沿うように配置され、前記支持棒が適宜回転され略水平位置において前記型枠を固定する固定体を側面形態が略垂直となるように支持することを特徴とする型枠固定体の支持構造である。
【０００６】
上記構成によれば、型枠の傾斜角度に対応して支持棒を回転して略水平に位置させ、この支持棒により型枠固定体が側面形態が略垂直となるように支持される。これにより、型枠の傾斜が異なる場合にも１種類の取り付け補助具を使用することで容易に型枠固定体を水平に支持できるようになる。
【０００７】
【発明の実施の形態】
図１はこの発明に用いる取り付け補助具の実施形態の正面図、図２は同背面図、図３は同側面図、図４は平面図、図５は図１におけるａ−ａ断面図、図６は図１におけるｂ−ｂ断面図である。
【０００８】
取り付け補助具１は鉄製のプレート体３と鉄製の支持棒２とから構成される。プレート体３は長方形でその表面の中間高さ位置に横方向に一対の円柱体５、５が溶接７により固着されている。円柱体５、５は中央において離れて向かい合う先端部５ａ、５ａが細径の軸支部を構成している。また、プレート体３には縦方向中央に４個の長孔よりなる取り付け孔９、９、９、９が形成されている。
【０００９】
支持棒２は基部に円筒状の被軸支部６を備え、その一対の円筒空間１０、１０内に上記プレート体３の円柱体５、５の先端部５ａ、５ａが嵌入され、これにより、支持棒２はプレート体３の表面に基部が回転可能に軸支されて取り付けられている。支持棒２の被軸支部６と棒本体１１とは溶接１２により固着されている。棒本体１１の先端近傍にはネジ１３が形成されている。上記の支持棒２の被軸支部６のプレート体３への軸支は、まずプレート体３に一方の円柱体５を溶接７により固着し、その状態において一方の円筒空間１０にその円柱体５の先端部５ａが嵌入されるように支持棒２を位置させ、その支持棒２の他方の円筒空間１０内に先端部５ａを嵌入するように他方の円柱体５を溶接により固着して行なう。
【００１０】
以下、上記取り付け補助具１の使用するこの発明の構成について図７、図８を用いて説明する。まず、取り付け補助具１をそのプレート体３の裏面において第１固定体３０面に当接しボルト３１、ナット３２により固定する。上記取り付け補助具１の第１固定体３０への固定は第１固定体３０の構成に対応して適宜の構成により行なわれるもので、この実施形態の構成ではプレート体３の取り付け孔９、９、９、９を長孔としてしかも４個設けていることでその取り付け固定位置が調整できるようにしている。このようにして複数個の取り付け補助具１を間隔をおいて第１固定体３０面の同高さ位置に複数個取り付ける。
【００１１】
そして取り付け補助具１それぞれの矢印Ｔ方向において回転可能な支持棒２それぞれに被嵌するようにして第２固定体（型枠固定体）３６を矢印Ｐ方向に装着するとともに、座金３７を介して水平に位置させた支持棒２それぞれのネジ１３にナット３８を締め付けていくことで第２固定体３６を側面形態（図８に示す形態）が垂直となるように固定する。ここに使用する第２固定体３６は一対のＣ型鋼を背中合わせに隙間４０を持つように配置固定したもので、その隙間４０に支持棒２が差し入れられ、ナット３８の締め付けにより第２固定体３６が第１固定体３０側に押しやられその隙間４０の一対の前縁部４１、４１が円柱体５、５それぞれの周面に圧接されることで第２固定体３６は固定される。そして、このように第２固定体３６が側面形態において垂直に配置され、その隙間４０に端部が納められることで型枠の開きを防止するためのそれぞれの連結棒材が水平に配置されるようになっている。
【００１２】
図８に示すように、今仮に建造物の側面にＸ度の傾斜がありそれに沿って配置される第１固定体３０面がＸ度傾斜する場合、支持棒２をプレート体３に垂直な位置からＸ度回転させて傾斜させた位置とすることで第２固定体３６をその側面形態が垂直となるように支持する。このように建造物の傾斜角度に応じて支持棒２を回転角度の異なる位置として使用することで常に第２固定体３６を垂直支持できるようになり、これにより、異なる傾斜角度面の建造物を作る際にも１種類の取り付け補助具１により対応可能となる。なお、第２固定体３６の形状を一定とする場合、取り付け補助具１に付設される円柱体５、５の径を大きくすることで第２固定体３６の傾斜調整幅を大きくできる。
【００１３】
【発明の効果】
この発明によれば、型枠の傾斜が異なる場合にも１種類の取り付け補助具を使用して容易に型枠固定体を側面形態が略垂直となるように支持できるようになり、この型枠固定体を介して連結棒材が水平に取り付けられることで、型枠組立施工性が格段に向上される。
【図面の簡単な説明】
【図１】  この発明に用いる取り付け補助具の実施形態の正面図
【図２】  この発明に用いる取り付け補助具の実施形態の背面図
【図３】  この発明の用いる取り付け補助具の実施形態の側面図
【図４】  この発明の用いる取り付け補助具の実施形態の平面図
【図５】  図１のａ−ａ断面図
【図６】  図１のｂ−ｂ断面図
【図７】  この発明の実施形態斜視図
【図８】  この発明の実施形態断面図
【図９】  型枠組立の従来例側面図
【図１０】  図９におけるＡ方向からみた図
【符号の説明】
１  取り付け補助具
２  支持棒
３  プレート体
【図１】
0003658707.tif 000002
【図２】
0003658707.tif 000003
【図３】
0003658707.tif 000004
【図４】
0003658707.tif 000005
【図５】
0003658707.tif 000006
【図６】
0003658707.tif 000007
【図７】
0003658707.tif 000008
【図８】
0003658707.tif 000009
【図９】
0003658707.tif 000010
【図１０】
0003658707.tif 000011